(57)【要約】【課題】  撮像装置とクレードルを合体した状態で三脚等に固定しながら、撮像とストリーミングが可能なＴＶ会議システムに有効な撮像システムを得る。また、表示装置を開閉回動させることでクレードルの前方から表示内容を確認可能な撮像装置を提供する。【解決手段】  撮像装置を構成するビデオカメラ２５の縦長のケース本体４０の一方の面４０Ｌ或いは背面４０Ｂを下にしてクレードル３上に載置し、ケース本体４０の底面部４０ＢＯと同一面或いはケース本体４０の底面部４０ＢＯより突出しない様にクレードル３の側面１００或いは１０８を配する様にケース本体４０と合体させることで撮像と同時にストリーミングを行なえるようにする。【選択図】      図１
2006186635.tif 000002
【特許請求の範囲】
【請求項１】
撮像装置およびクレードルを用いて撮像や各種通信を行うように成された撮像システムにおいて、
縦長の略直方体状のケース本体の一方の側面に設けられたメカデッキ内に記録／再生媒体を交換可能に配設し、該ケース本体の上側に開閉し、回動自在になされた表示装置を該ケース本体の他方の側面に有し、前面にレンズ系を有する光学手段を配し、背面に操作手段群を備え、底面を平坦化した前記撮像装置と、
前面側か高くされた載置部に前記撮像装置と電気的接続を行う接合部を有する横長の前記クレードルと、
を具備し、
前記撮像装置の前記一方の面或いは背面を下にして前記クレードル上に載置可能とし、該縦長のケース本体の前記底部と同一面或いはケース本体の底部より突出しない様に該クレードルの側面を配する様にケース本体と合体させたことを特徴とする撮像システム。
【請求項２】
前記撮像装置の前記ケース本体と前記クレードルを合体化したまま三脚に取り付け、ストリーミングしながら該撮像装置により被写体を撮像したことを特徴とする請求項１記載の撮像システム。
【請求項３】
前記撮像装置の前記ケース本体の前記一方の側面或いは前記背面に設けた電気的接続を行なう接合部と接合する接合手段を前記クレードルの前記載置部に配設したことをと特徴とする請求項１または請求項２記載の撮像システム。
【請求項４】
撮像装置およびクレードルを用いて撮像や各種通信を行うように成された撮像装置において、
縦長の略直方体状のケース本体の一方の側面に設けられたメカデッキ内に記録／再生媒体を交換可能に配設し、該ケース本体の上側に開閉し、回動自在になされた表示装置を該ケース本体の他方の側面に有し、前面にレンズ系を有する光学手段を配し、背面に操作手段群を備え、底面を平坦化した前記撮像装置と、
前面側か高くされた載置部に前記撮像装置と電気的接続を行う接合部を有する横長の前記クレードルと、
を具備し、
前記撮像装置の前記一方の面或いは背面を下にして前記クレードル上に載置可能とし、該縦長のケース本体の前記底部と同一面或いはケース本体の底部より突出しない様に該クレードルの側面を配する様にケース本体と合体させて成ることを特徴とする撮像装置。
【請求項５】
撮像装置およびクレードルを用いて撮像や各種通信を行うように成されたクレードルにおいて、
縦長の略直方体状のケース本体の一方の側面に設けられたメカデッキ内に記録／再生媒体を交換可能に配設し、該ケース本体の上側に開閉し、回動自在になされた表示装置を該ケース本体の他方の側面に有し、前面にレンズ系を有する光学手段を配し、背面に操作手段群を備え、底面を平坦化した前記撮像装置と、
前面側か高くされた載置部に前記撮像装置と電気的接続を行う接合部を有する横長の前記クレードルと、
を具備し、
前記撮像装置の前記一方の面或いは背面を下にして前記クレードル上に載置可能とし、該縦長のケース本体の前記底部と同一面或いはケース本体の底部より突出しない様に該クレードルの側面を配する様にケース本体と合体させて成ることを特徴とするクレードル。
【発明の詳細な説明】
【技術分野】
【０００１】
本発明は、撮像された被写体の画像（映像）や予め記憶装置に記憶された画像を表示可能な表示装置を備えた縦長の撮像装置ケース本体を横にしてクレードルに装着可能とした撮像システムに係わり、特に、撮像装置ケース本体とクレードルを一体に三脚に取り付け、ストリーミングを可能にした撮像システム及び撮像装置並びにクレードルに関するものである。
【背景技術】
【０００２】
従来の、この種の撮像装置システムとして利用するデジタルカメラのファファインダＬＥＤ、撮影画像表示用ＬＣＤ、設定用ＬＣＤ等の表示装置は、デジタルカメラの背面側に設けられているのでパーソナルコンピュータに動画を入力するＰＣカメラとしてデジタルカメラを機能させた場合には、デジタルカメラの背面側が見え難くなるので、この様な弊害を除くために、ドッキングステーション(クレードル)接続時のデジタルカメラの状態表示の視認性を向上させ様にした電子機器システムが特許文献１に開示されている。
【０００３】
図１０は上記特許文献１に記載された電子機器システムの構成を示すものであり、図１０において、電子機器システムは、クレードル３に状態表示用発光部１４を設け、この状態表示用発光部１４を点灯または点滅、消灯させることで、デジタルカメラの各種状態を表示させるようにしたものである。この状態表示用発光部１４によって表示するデジタルカメラ２の各種状態としては、例えば、電源オン状態，外部機器との通信状態，クレードル３からデジタルカメラ２が取り外せることを示すリムーブ可能状態等である。
【０００４】
図１０の２は電子機器であるデジタルカメラであり、図１０は、このデジタルカメラ２とクレードル３との構成を示す外観斜視図である。デジタルカメラ２の前面には、撮影レンズ４が組み込まれたレンズ鏡筒５、ファインダ６を構成する対物側ファインダ窓７、被写体に向けてストロボ光を照射するストロボ発光部８、シャッタレリーズ操作に用いられるシャッタボタン９、タイマ撮影時に点滅して撮影タイミングを知らせるセルフタイマ用発光部１０等が設けられている。レンズ鏡筒５は、デジタルカメラ２が電源オフ状態にある際に、デジタルカメラ２の前面に設けられた鏡筒収納部２０内に収納され、電源オンとともにデジタルカメラ２の前面から突出する。
【０００５】
セルフタイマ用発光部１０の奥には、赤色のタイマ用ＬＥＤ(図示せず)が組み込まれている。このタイマ用ＬＥＤは、セルフタイマを使用した撮影時に、タイマの残り時間に合わせて点滅発光する。
【０００６】
また、タイマ用ＬＥＤは、デジタルカメラ２がクレードル３に装着されている状態では、デジタルカメラ２の各種状態の表示に用いられる。例えば、パーソナルコンピュータ等の外部機器とデジタルカメラ２との間で画像データの送受信を行なう際には、データの送受信に合わせて点滅発光する。更に、デジタルカメラ２のバッテリ１１を充電する際には、タイマ用ＬＥＤは連続点灯する。また、デジタルカメラ２の電源をオフしてもよいとき、外部機器との通信を終了してもよいとき、クレードル３からデジタルカメラ２を取り外してもよいときを表すリムーブ可能状態にある際には、点滅よりも長い間隔で間欠発光を行なう。
【０００７】
デジタルカメラ２の一方の側面には、メモリカード１６がセットされるメモリカードスロット１７が設けられている。このメモリカードスロット１７の奥には、メモリカード１６へのデータの読み書きを行なうメモリカードリーダが内蔵されている。
【０００８】
デジタルカメラ２の背面には、ファインダ６を構成する接眼側ファインダ窓、操作部、ビューファインダとして機能する画像表示用ＬＣＤ等が設けられている。接眼側ファインダの側方には、点灯，点滅してデジタルカメラ２の状態を知らせるファインダ発光部が設けられている。操作部内には、複数の操作ボタンと、各種設定等の情報を表示する設定用ＬＣＤとが設けられている。
【０００９】
デジタルカメラ２には、バッテリ１１がセットされるバッテリ室が設けられており、デジタルカメラ２の底面には、バッテリ室にアクセスするための開口部１２が設けられている。この開口部１２は、蓋部材によって開閉される。バッテリ室には、充電可能なバッテリ１１がセットされる。
【００１０】
クレードル３は、デジタルカメラ２に接続してＡＣ電源やパーソナルコンピュータ等の外部機器との接続を介在する。クレードル３は、略台形状にされ、上面にデジタルカメラ２が装着される凹形状の載置部１８が設けられている。この載置部１８内には、デジタルカメラ２の底面の接続コネクタ１３に嵌合して電気的に接続する接続端子１９と状態表示用発光部１４および電源用ボタン１５が設けられている。
【００１１】
更に、特許文献２にはデジタルカメラ２のカメラ本体をクレードル３に対して横長にし、カメラ本体の底部をクレードル３の凹形状の載置部１８に装着する様にしたカメラシステムが開示されている。尚、クレードル３の前面にはＡＣコネクタ、ＵＳＢケーブル接続用のコネクタ２２およびＩＥＥＥ１３９４ケーブル接続用のコネクタ２３が配されている。図１１に於いて図１０との対応部分には同一符号を付して重複説明を省略する。
【００１２】
上述の特許文献１に記載されたデジタルカメラは、略縦長のデジタルカメラ２を略直方体で後方が高く前方が低くなされたクレードル３の凹形状の載置部１８内に、デジタルカメラ２の底を挿入するように成され、クレードル３に縦方向に立設させる構成としているためクレードル３は安定が悪く。また、特許文献２に記載されたデジタルカメラは、カメラ本体２の横長の底部をクレードル３の凹形状の載置部１８内に挿入するようにしているためにクレードル３は大型化し、撮影画像表示用ＬＣＤ、設定用ＬＣＤは、デジタルカメラの背面側に設けられているのでパーソナルコンピュータに動画を入力するＰＣカメラとしてデジタルカメラを機能させた場合には、デジタルカメラの背面側が見え難くなるのでクレードルに状態表示用発光部１４等を必要とする課題を生ずる。
【特許文献１】特開２００２−２３２７５０号公報
【特許文献２】特開２００２−３５９７６１号公報
【発明の開示】
【発明が解決しようとする課題】
【００１３】
本発明は上述の課題を解決するためになされたもので、本発明の撮像システム及び撮像装置並びにクレードルは、縦長の略直方体状の撮像装置のレンズ鏡筒５を縦長のケース本体の前面側に配設し、縦長のケース本体の他方の背面にファインダ部や各種操作ボタン群を配し、矩形状のケース本体の上面側に開閉し、回動可能とされた表示部をケース本体の一方の側面に設け、ケース本体の一方の側面と対抗する他方の側面を開閉自在とした担体挿入部とし、さらに、ケース本体の上面或いは底面のいずれかを平坦な形状とした撮像装置のケース本体の一方の側面或いは背面をクレードルの載置部に合体させて、三脚等に取り付けストリーミングしながら撮像装置により被写体を撮像することを可能とした撮像システム及び撮像装置並びにクレードルを提供することを目的とする。
【課題を解決するための手段】
【００１４】
第１の本発明は、撮像装置およびクレードルを用いて撮像や各種通信を行うように成された撮像システムにおいて、縦長の略直方体状のケース本体の一方の側面に設けられたメカデッキ内に記録／再生媒体を交換可能に配設し、ケース本体の上側に開閉し、回動自在になされた表示装置をケース本体の他方の側面に有し、前面にレンズ系を有する光学手段を配し、背面に操作手段群を備え、底面を平坦化した撮像装置と、前面側か高くされた載置部に撮像装置と電気的接続を行う接合部を有する横長のクレードと、を具備し、撮像装置の一方の面或いは背面を下にしてクレードル上に載置可能とし、縦長のケース本体の底部と同一面或いはケース本体の底部より突出しない様にクレードルの側面を配する様にケース本体と合体させたことを特徴とする撮像システムとしたものである。
【００１５】
第２の本発明は、撮像装置およびクレードルを用いて撮像や各種通信を行うように成された撮像装置において、縦長の略直方体状のケース本体の一方の側面に設けられたメカデッキ内に記録／再生媒体を交換可能に配設し、ケース本体の上側に開閉し、回動自在になされた表示装置を該ケース本体の他方の側面に有し、前面にレンズ系を有する光学手段を配し、背面に操作手段群を備え、底面を平坦化した撮像装置と、前面側か高くされた載置部に撮像装置と電気的接続を行う接合部を有する横長のクレードルと、を具備し、撮像装置の一方の面或いは背面を下にしてクレードル上に載置可能とし、縦長のケース本体の底部と同一面或いはケース本体の底部より突出しない様にクレードルの側面を配する様にケース本体と合体させたことを特徴とする撮像装置としたものである。
【００１６】
第３の本発明は、撮像装置およびクレードルを用いて撮像や各種通信を行うように成されたクレードルにおいて、縦長の略直方体状のケース本体の一方の側面に設けられたメカデッキ内に記録／再生媒体を交換可能に配設し、ケース本体の上側に開閉し、回動自在になされた表示装置をケース本体の他方の側面に有し、前面にレンズ系を有する光学手段を配し、背面に操作手段群を備え、底面を平坦化した撮像装置と、前面側か高くされた載置部に撮像装置と電気的接続を行う接合部を有する横長のクレードルと、を具備し、撮像装置の一方の面或いは背面を下にしてクレードル上に載置可能とし、縦長のケース本体の底部と同一面或いはケース本体の底部より突出しない様にクレードルの側面を配する様にケース本体と合体させたことを特徴とするクレードルとしたものである。
【発明の効果】
【００１７】
第１の本発明によれば、撮像装置とクレードルを合体した状態で三脚等に固定しながら、撮像とストリーミングが可能な撮像システムが得られる効果を有する。
【００１８】
第２に本発明によれば、クレードルにケース本体の一方の側面或いは背面を横長に載置させた状態で他方の側面に配設した表示装置をクレードルの上面或いは前面側に持ちきたすことが出来るので表示装置を開閉回動させることでクレードルの前方から表示内容を確認可能な撮像装置が得られる効果を有する。
【００１９】
第３の本発明によれば、クレードルの小型化が図れ、かつ、撮像装置を安定に載置可能なクレードルが得られる効果を有する。
【発明を実施するための最良の形態】
【００２０】
本発明の撮像システム及び撮像装置並びにクレードルは、縦長のケース本体の一方の側面或いは背面をクレードルの載置部に合体させて、三脚等に取り付けストリーミングしながら撮像装置により被写体を撮像することを可能とした撮像システム及び像装置並びにクレードルを得ようとするものである。
【実施例１】
【００２１】
以下、本発明の撮像システム及び撮像装置並びにクレードルとして、小型のカメラ一体型高密度用ＶＴＲ(以下ビデオカメラと記す)とクレードルを図１乃至図７の実施の形態例で説明する。図１は本発明の撮像システムとしてのビデオカメラとクレードルの組み立て状態を示す１形態例の斜視図、図２は図１のビデオカメラをクレードル上に載置した合体状態をクレードルの下方から見た斜視図、図３は図１及び図２に示すビデオカメラ及びクレードルとは反対の後面側から見たビデオカメラとクレードルの合体状態斜視図、図４はビデオカメラの一方の側面に配設した表示装置のロック状態説明用の斜視図、図５は本発明でのビデオカメラの撮像状態を説明する為の斜視図、図６は本発明のビデオカメラ及びクレードルを合体した状態で三脚に取り付けパーソナルコンピュータ(以下ＰＣと記す)にストリーミングしながら撮像装置により被写体を撮像する方法を説明するための斜視図、図７は本発明の撮像システムの系統図である。
【００２２】
図１乃至図６に示すビデオカメラ及びクレードルの構成を説明するに先立ち本発明の撮像システムの全体的回路構成を図７の系統図により説明する。尚、以下、図１０および図１１との対応部分には同一符号を付して説明する。ここで、本発明における映像と画像について定義しておく、本発明では、表示装置の表示面に表された１コマ毎の静止像を「画像」といい、その画像の任意数の集合の動画像を「映像」とする。従って、本発明の撮像装置は画像及び映像を撮像可能な構成と成され、これら画像及び映像を含めて本発明では以下画像と記す。
【００２３】
図７において、小型のカメラ一体型高密度用ＶＴＲであるビデオカメラ２５のケース本体４０内にはＣＣＤ（電荷結合素子）等の撮像素子２６をレンズ鏡筒５の一端部に設け、他端に撮像レンズ２７を設けた撮像光学レンズ系を有し、撮像素子２６からの撮像出力は映像増幅部２８を介して画像処理部２９に供給される。画像処理部２９では撮像された被写体像等の画像（映像）及び音声データを含む画像データの画像処理が成される。このような画像データは画像インターフェース（Ｉ／Ｆ）３０を介してバス３１に供給されている。更に、画像処理部２９からの画像データはモニタ駆動部３６を介してＬＣＤ等のモニタ用の表示装置３７に表示される。ここで、３５はビデオカメラ２５内に設けたＣＰＵ等の制御部であり、勿論、バス３１に接続されている。
【００２４】
記録再生媒体としてのデジタル用の磁気テープはカセット（以下「ＤＶカセット」という。）内に巻回収納され、このＤＶカセットはケース本体４０内の記録又は／及び再生部（以下記録／再生部と記す）３２のメカデッキに装着されて記録又は／及び再生（以下記録／再生と記す）が行なわれる。記録／再生部３２で記録／再生が行なわれた記録／再生データは記録／再生用インターフェース（Ｉ／Ｆ）３３を介してバス３１に供給されている。
【００２５】
また、ビデオカメラ２５のケース本体４０内にはメモリカード１６内の画像及び音声データの再生が可能なメモリカード１６がセットされるメモリカードスロット１７が設けられている。このメモリカードスロット１７の奥には、メモリカード１６へのデータの読み書きを行なう図示しないメモリカードリーダが内蔵されている。メモリカードリーダはメモリカード用インターフェース（Ｉ／Ｆ）３４を介して、バス３１に接続されている。尚、３８はケース本体４０内に配設されたバッテリ等の電源部である。
【００２６】
上述の撮像装置としては、ビデオカメラについて説明したが、本発明ではビデオカメラに限定されるものではなく、電子スチルカメラその他の撮像装置に適用可能である。更に、記録／再生媒体としては、ＤＶカセットに限定されるものではなく、アナログビデオカセットその他のテープ状記録媒体を用いることができることは勿論のこと、ＤＶＤ（デジタルバーサタイルディスク）やＣＤ−ＲＯＭその他の記録可能な光ディスク、光磁気ディスク、ＨＤＤ（ハードディスクドライブ）用の磁気ディスク等のようなディスク状記録媒体、更には、半導体記録媒体等のようなその他の記録媒体を適用することもできる。
【００２７】
更に、図７に於いて、クレードル３を構成する筐体内には商用電源からＡＣ／ＤＣコンバータ３９を介してＤＣが供給される充電用の電源部４１や制御部４２を有する。充電用の電源部４１からコネクタを構成する接続端子１９を介してビデオカメラ２５内の電源部３８のバッテリを充電する。制御部４２はバス３１に接続され、バス３１の一端は接続コード４５を介して各種情報信号や制御信号の授受をインターネット４３に接続したＰＣ４４と行なう様に成されている。
【００２８】
ＰＣ４４のバス３１には通常の様に中央情報処理部(ＣＰＵ)４６やワーク用のＲＡＭ４７、ＲＯＭ４８が接続されると共にＬＣＤ等のモニタ５０を駆動するドライバ４９やキーボード等の操作部５１が接続されている。５２はインターネット４３と電話回線などを介してモデム５２に接続されている。５３はインターネット４３に接続された他のＰＣである。
【００２９】
上述の撮像システムに適用するビデオカメラ２５とクレードル３の構成を図１乃至図６で説明する。先ず、図３乃至図５によって本発明に用いるビデオカメラ２５を詳記する。図５は本発明のビデオカメラ２５の撮像状態を示す前側面側から見た斜視図であり、ビデオカメラ２５を構成するケース本体４０は縦長の略直方体状の金属又は／及び合成樹脂で構成され、ケース本体４０の縦長の前面板４０Ｆの上方にはレンズ鏡筒５の撮像レンズ２７用の開口５４が穿たれ下方向の小判型の透孔５５内にはリモコン受光部５６が設けられている。
【００３０】
ケース本体４０の上面板４０Ｕは前面板４０Ｆの高さに比べて短い横長で上方に突状に湾曲され、内部にはレンズ鏡筒５等の撮像光学レンズ系が配設されている。上面板４０Ｕの背面板４０Ｂ側には内蔵マイクロホン用透孔５７が穿たれている。５８はユーザが撮像時に人差し指を掛ける為の突出した指掛け部である。ケース本体４０の上面板４０Ｕに延設して、合成樹脂等で形成した膨出部５９が形成される。この膨出部５９にクレードル３と電気的に接続するためのコネクタとなる接続端子(ジャックコネクタ)１９が形成されている。尚、６０Ａは接続端子１９の非使用時に接続端子１９の前面を覆うリッドである。また、左側面板４０Ｌを構成するカセット挿入開閉扉６２には、リッド６０Ａの取り付け位置と反対側にバッテリ収納部６０Ｂが形成されている。このバッテリ収納部６０Ｂには、電源としてのバッテリが着脱可能に装着される。
【００３１】
膨出部５９の下端に形成した左側面板４０Ｌとなるカセット挿入開閉扉６２はケース本体４０の背面板４０Ｂ(図３参照)及びカセット挿入開閉扉６２の開閉扉底部６６(図４参照)の一部と一体に合成樹脂等で略断面がＬ字状になるように形成され、左側面板４０Ｌは略矩形状で前面板４０Ｆの左側部との間に配設したヒンジ６１側にやや傾斜するように形成され、ケース本体４０の背面板４０Ｂは縦長の矩形状となされ、底面部４０ＢＯは図４に示す様にケース本体４０の底面板４０ＢＯ１と開閉扉底部６６からなる半体が一体化されて構成される。
【００３２】
このようなカセット挿入開閉扉６２を図５のようにヒンジ６１を中心に矢印Ａ方向に回動し、ケース本体４０内に設けられた記録／再生部３２内にＤＶカセット等の記録媒体を装着出来るように成されている。図５では、ケース本体４０の右側面板４０Ｒには開閉、回動可能にＬＣＤの表示装置３７が枢着されている。この表示装置３７の表示画面６３には撮像画像が映出されると共にバッテリ情報釦６４等の押圧によりバッテリの残量等を知らせる各種の情報が表示出来るように成されている。表示装置３７の表示画面６３の上部に設けられたこれら各種釦群の横にはスピーカ用の放音孔６５が穿たれている。
【００３３】
次に、ビデオカメラ２５のカメラ本体４０の右側面板４０Ｒ及び底面板の構成を図４によって詳細に説明する。図４はビデオカメラ２５の前面板４０Ｆ及び底面部４０ＢＯ並びに右側面板４０Ｒを構成する表示装置３７が見えるように成した斜視図であり、本体ケース４０の右側面板４０Ｒは表示装置３７の表示装置ケース６７となされ、この表示装置ケース６７は略矩形状に構成し、ケース本体４０の上面板４０Ｕの下端に形成した軸受けに開閉自在に枢着した第１の回動支持部６８が表示装置ケース６７と一体に形成されている。図４の表示装置ケース６７の裏面には図５で説明したＬＣＤ等の表示画面６３が設けられ、第１の回動支持部６８の枢軸（Ｙ−Ｙ軸）を中心にケース本体４０の水平面６９から矢印Ｂ方向に９０度のＺ−Ｚ軸位置まで開閉するように成されている。
【００３４】
表示装置３７が配設されている第１の回動支持部６８は表示装置３７の表示装置ケース６７を水平面６９からＢ方向に直交するＺ−Ｚ軸位置まで回動させた状態で、第１の回動支持部６８の中心に立設した第２の回動支持部７０のＺ−Ｚ軸で示す中心線７１を中心に矢印Ｃ方向に２７０度回動可能とされている。従って、図５に示す表示装置３７の回動状態は第２の回動支持部７０の中心線７１に沿って２７０度回動した状態を示し、図３に示す表示装置３７の回動状態は第２の回動支持部７０の中心線７１に沿って１８０度回動し、第１の回動支持部６８によって右側面板４０Ｒをケース本体４０の水平面６９に対抗する様に回動させ、表示装置(以下ＬＣＤと記す)３７の表示画面６３を上面側に持ち来たした状態を示している。
【００３５】
従って、ＬＣＤ３７は、表示画面６３を図３に示すように上側に表した状態から第１の回動支持部６８を中心に上方へ９０度回動させて表示画面６３を上面板４０Ｕ側に向けた状態(ビデオカメラの俯瞰撮影状態)から第２の回動支持部７０を背面板４０Ｂ側に９０度回動させて表示画面６３をモニタする状態（通常の撮影状態）を経て、更に背面板４０Ｂ側に９０度回動させることにより表示装置ケース６７の右側面板４０Ｒを上側に現した状態（図４の表示装置ケース６７を９０度開いた状態）と、図３に示す表示画面６３を上側にした状態から第１の回動支持部６８を中心に上方へ９０度回動させて表示画面６３を上面板４０Ｕ側に向けたビデオカメラの俯瞰撮影状態から第２の回動支持部７０を前面板４０Ｆ側に９０度回動させて表示画面６３を前面板（被写体側）４０Ｆに向けた状態（自己撮影状態）を取ることができる。
【００３６】
表示装置ケース６７は第１の回動指示部６８の取り付け辺を除く３方向に滑らかに傾斜する傾斜辺となされ、第１の回動指示部６８の反対側の傾斜辺７３には円形切溝７４が形成されている。又、ケー本体４０の底面板４０ＢＯ１には円形切溝７４の半径円周と嵌合する円環状の脚と兼用されるロック部材７５が埋め込まれている。７６は表示装置カーバ６７を矢印Ｄ方向に指先で上動させるための切溝であり、底面板４０ＢＯ１の前面板４０Ｆ側には三脚ネジと螺合する雌ネジ７７が形成されている。カセット挿入開閉扉６２の開閉扉底部６６にはロック部材７５と３点で載置面に水平に載置可能な脚用ボス７８が形成されている。この様なロック部材７５によると上方の第１の回動支持部６８で枢着されている表示装置６７が図４で矢印Ｅ方向への揺動を防止することが出来る。
【００３７】
更に、図３によりケース本体４０の背面板４０Ｂの構成を説明する。背面板４０Ｂは上記した様にカセット挿入開閉扉６２と合成樹脂等で図３に示す様に縦長の矩形状に構成し、上面坂４０Ｕの下端に形成した膨出部５９の側面部５９Ａと一体化されて背面坂４０Ｂが構成される。この膨出部５９の側面部５９Ａにはメモリカードスロット１７が形成され、メモリカード１６が挿入可能とされ、メモリカード１６の記録／再生が出来る。
【００３８】
上記した、カセット挿入開閉扉６２の背面板４０Ｂには、図５に示す様にカセット挿入開閉扉６２のヒンジ６１を中心に図３に於いて、下方向の矢印Ｆに示す方向に開くためのスライドロック８０が設けられる共に電源の切換え、充電の切換え、ＤＶカセットテープへの撮像の切換え、メモリカードへの撮像の切換え等の操作用スライド釦８１が設けられている。
【００３９】
図３はビデオカメラ２５のケース本体４０をクレードル３上に載置した状態を示しているが、図１および図２を用いて以下、本発明のクレードル３およびビデオカメラ２５の載置方法を説明する。図１および図２に於いて、クレードル３は合成樹脂等で構成した側断面が三角状の横長の三角柱のベース部８６と、この三角柱のベース部８６上に固着される平面が略矩形状で箱状に形成された載置枠８７とで構成されている。
【００４０】
矩形状の載置枠８７の長辺Ｌ２の長さはビデオカメラ２５の左側板４０Ｌの長辺Ｌ１の長さと同様か短く選択される。クレードル３の三角柱のベース部８６の前面パネル８３には凹溝８８が形成され、各種コネクタ類が並設されている。即ち、８９はＡＶマルチコネクタ、９０はＤＣコネクタ、９１はデジタルビデオコネクタ（Ｉリンク、ＩＥＥＥ１３９４）、９２はＵＳＢコネクタである。また、凹溝８８に並設して電源釦９３が設けられている。９４はビデオカメラ２５をクレードル３の載置枠８７から取り外すための取り外し釦であり、この取り外し釦９４を押圧することで載置枠８７の前部左端に配設されたビデオカメラ２５の接続端子（以下ジャックコネクタと記す）１９と嵌合する接続端子（以下プラグコネクタと記す）９５を囲むように設けられた略正方形状の押し上げ板９６を上動させ、ビデオカメラ２５のジャックコネクタ１９からプラグコネクタ９６を抜いてビデオカメラ２５を載置枠８７から取り外すようにする。
【００４１】
載置枠８７は透明な合成樹脂で製作し、ビデオカメラ２５の左側面板４０Ｌを構成するカセット挿入扉８２の形状に合わせた載置面９７が形状されている。載置枠８７の載置面９７の前後面部及び左側部には載置面９７から上方に立ち上がる前面板９８、背面板８４、左側面板９９を有し、左側面板９９のプラグコネクタ９５に対抗する位置はビデオカメラ２５のジャックコネクタ１９との嵌め合わせが行い易いように切込まれている。また、載置枠８７の右側部には右側面板を設けず図１に示されるようにオープン状態とされる。図２に示すように開閉扉底部６６とケース本体４０の底面板４０ＢＯ１とで構成されるビデオカメラ２５の底面部４０ＢＯ及びクレードル３の右側面板１００（ベース８６と載置枠８７の右側面部を含む）がビデオカメラ２５を載置枠８７に載置した状態で同一面上、或いはクレードル３の右側面板１００が図２で矢印Ｇ方向に引っ込んだ状態でビデオカメラ２５と一体化するように成されている。即ち、ビデオカメラ２５の左側面板４０Ｌを下にしてクレードル３上に載置可能とし、ケース本体４０の底面部４０ＢＯと同一面或いはケース本体２５の底面部４０ＢＯより突出しない様にクレードル３の右側面板１００を配する様にケース本体と合体させる様にすればよい。
【００４２】
図２及び図３で示したビデオカメラ２５とクレードル３を一体化した状態で、三脚に取り付けて撮影を行なう場合を図６によって説明する。図６は撮影と同時にストリーミングを行なうようにしたものでる。図６に於いて、三脚１０１のカメラ取付部１０２上にクレードル３とビデオカメラ２５を一体化したものを三脚ネジによって螺着させる。クレードル３のＵＳＢコネクタ９２に挿入したＵＳＢコネクタリード１０３を介してＰＣ４４の本体前面に設けられたＵＳＢコネクタ１０４に接続する。５０はＬＣＤなどのモニタであり、５１Ａはキーボード，５１Ｂはマウスで操作部５１を構成している。この様な構成によれば、ビデオカメラ２５にＵＳＢコネクタが無いものでも撮影と同時にモニタ５０やインターネット４３を介してＰＣ５３に画像データや音声データを送信し、再生可能な撮像システム及び撮像装置を得ることが出来る。
【００４３】
上述の構成によると、縦長のビデオカメラ２５のケース本体４０の平坦化された底面部４０ＢＯとクレードル３の右側面板１００を三脚１０１のカメラ取付部１０２上に安定に取付け可能となり、特に、テレビ会議等の撮影カメラとして適した撮像システムを得ることが出来る効果を生ずる。
【００４４】
上記したビデオカメラ２５では縦長のケース本体４０の左側面板４０Ｌをクレードル３の載置面９７上に載置したが、図８に示す様にビデオカメラ２５の背面板４０Ｂにジャックコネクタ１９を設け、略直方体状に構成し、その長手方向の中央位置に形成したＶ溝１０７に設けたプラグコネクタ９５と嵌合させ、図９に示す様にビデオカメラ２５のケース本体４０をクレードル３上に傾斜して載置させる様に構成しても良い。この様な構成に於いても、ビデオカメラ２５の底面部４０ＢＯとクレードル３の左側面１０８を同一平面上に配するか、ビデオカメラ２５の底面部４０ＢＯがクレードル３の左側面１０８より図９に於いて矢印Ｊで示すように手前側に突出する様に載置して一体化する。なお、図８で１０６はアイカップである。
【００４５】
以上説明したように、本発明の撮像システムでは撮像装置とクレードルを合体した状態で三脚等に固定しながら、撮像とストリーミングが可能なＴＶ会議システムに有効な撮像システムが得られる効果を有する。また、クレードルにケース本体の一方の側面或いは背面を横長に載置させた状態で他方の側面に配設した表示装置をクレードルの上面或いは前面側に持ちきたすことが出来るので表示装置を開閉回動させることでクレードルの前方から表示内容を確認可能な撮像装置が得られる効果を有する。
【図面の簡単な説明】
【００４６】
【図１】本発明の撮像装置システムとしてのビデオカメラとクレードルの載置方法を説明するための斜視図である。
【図２】本発明の撮像装置システムとしてのビデオカメラをクレードル上に載置した合体状態をクレードルの下方から見た斜視図である。
【図３】本発明の撮像装置システムとして図２に示すビデオカメラ及びクレードルとは反対の後面側から見たビデオカメラとクレードルの合体状態斜視図である。
【図４】本発明の撮像装置システムとしてのビデオカメラの一方の側面に配設した表示装置のロック状態説明用の斜視図である。
【図５】本発明の撮像装置システムとしてのビデオカメラの撮像状態を説明するための斜視図である。
【図６】本発明の撮像装置システムとしてのビデオカメラ及びクレードルを合体した状態で三脚に取り付けパーソナルコンピュータ（ＰＣ）にストリーミングしながら撮像装置により被写体を撮像する方法を説明するための斜視図である。
【図７】本発明の撮像装置システムを示す系統図である。
【図８】本発明の撮像装置システムとしてのビデオカメラとクレードルの他の載置方法を説明するための斜視図である。
【図９】本発明の撮像装置システムとしてのビデオカメラをクレードル上に載置した合体状態を示す他の斜視図である。
【図１０】従来の撮像装置システムとしてのビデオカメラとクレードルの載置方法を説明するための斜視図である。
【図１１】従来の撮像装置システムとしてのビデオカメラとクレードル他の載置方法を説明するための斜視図である。
【符号の説明】
【００４７】
２…デジタルカメラ、３…クレードル、５…レンズ鏡筒、１９…接続端子、２５…ビデオカメラ（撮像装置）、２７…撮像レンズ、３７…表示装置、４０…ケース本体、４０Ｌ…左側面板、４０Ｒ…右側面板、４０Ｕ…上面板、４０Ｆ…前面板、４０Ｂ…背面板、４０ＢＯ…底面板、６０Ａ…リッド、６０Ｂ…バッテリ収納部、６１…ヒンジ、６２…カセット挿入開閉扉、９２…ＵＳＢコネクタ、８６…ベース部、８７…載置枠、９５…接続端子、１０１…三脚、１０２…カメラ取付部
【図１】
2006186635.tif 000003
【図２】
2006186635.tif 000004
【図３】
2006186635.tif 000005
【図４】
2006186635.tif 000006
【図５】
2006186635.tif 000007
【図６】
2006186635.tif 000008
【図７】
2006186635.tif 000009
【図８】
2006186635.tif 000010
【図９】
2006186635.tif 000011
【図１０】
2006186635.tif 000012
【図１１】
2006186635.tif 000013